(57)【特許請求の範囲】
【請求項１】
売り手側が販売希望の商品についての出品を掲載し、これを閲覧した買い手側が入札を行い、双方の条件が合致することで取引が成立する売り手主導型の通常オークションシステムと、買い手側が欲する商品についてのリクエストを掲載し、これを閲覧した売り手側が商品提供の応募を出し、双方の条件が合致することで取引が成立する買い手主導型のリバースオークションシステムとを備えたシステムであって、
上記通常オークションシステムへの出品が成約しなかった場合に、上記通常オークションシステムから上記リバースオークションシステムに成約しなかった出品にかかる出品情報を伴う類似のリクエストの情報を要求するデータをネットワークを介して送信する手段と、
上記リバースオークションシステム側で、成約しなかった出品にかかる出品情報に基づいてリクエスト情報から類似検索を行って類似のリクエストの情報のデータを取得し、上記通常オークションシステムにネットワークを介して送信する手段と、
上記通常オークションシステム側で、当該通常オークションシステムの売り手側が使用するクライアント端末に上記リバースオークションシステムから取得した類似のリクエストの情報のデータをネットワークを介して送信する手段と、
上記通常オークションシステム側で、上記クライアント端末から上記通常オークションシステムに対する出品の掲載時に入力したテキスト情報および画像情報を含む出品情報の出力の指示要求のデータをネットワークを介して受信する手段と、
上記通常オークションシステムから当該通常オークションシステムが内部の記憶領域に保持する上記出品情報のデータを上記クライアント端末にネットワークを介して送信する手段と、
上記リバースオークションシステム側で、上記クライアント端末から修正の行われた上記出品情報に基づくリクエストの掲載要求のデータをネットワークを介して受信する手段と
を備えたことを特徴とする通常オークション／リバースオークション連携システム。
【請求項２】
売り手側が販売希望の商品についての出品を掲載し、これを閲覧した買い手側が入札を行い、双方の条件が合致することで取引が成立する売り手主導型の通常オークションシステムと、買い手側が欲する商品についてのリクエストを掲載し、これを閲覧した売り手側が商品提供の応募を出し、双方の条件が合致することで取引が成立する買い手主導型のリバースオークションシステムとを備えたシステムであって、
上記リバースオークションシステムへのリクエストが成約しなかった場合に、上記リバースオークションシステムから上記通常オークションシステムに成約しなかったリクエストにかかるリクエスト情報を伴う類似の出品の情報を要求するデータをネットワークを介して送信する手段と、
上記通常オークションシステム側で、成約しなかったリクエストにかかるリクエスト情報に基づいて出品情報から類似検索を行って類似の出品の情報のデータを取得し、上記リバースオークションシステムにネットワークを介して送信する手段と、
上記リバースオークションシステム側で、当該リバースオークションシステムの買い手側が使用するクライアント端末に上記通常オークションシステムから取得した類似の出品の情報をネットワークを介して送信する手段と、
上記リバースオークションシステム側で、上記クライアント端末から上記リバースオークションシステムに対するリクエストの掲載時に入力したテキスト情報および画像情報を含むリクエスト情報の出力の指示要求のデータをネットワークを介して受信する手段と、
上記リバースオークションシステムから当該リバースオークションシステムが内部の記憶領域に保持する上記リクエスト情報のデータを上記クライアント端末にネットワークを介して送信する手段と、
上記通常オークションシステム側で、上記クライアント端末から修正の行われた上記リクエスト情報に基づく出品の掲載要求のデータをネットワークを介して受信する手段と
を備えたことを特徴とする通常オークション／リバースオークション連携システム。
【請求項３】
請求項１または２のいずれか一項に記載の通常オークション／リバースオークション連携システムであって、
上記類似のリクエストもしくは出品の情報は、リクエストもしくは出品の件数および平均価格等の統計情報を含むことを特徴とする通常オークション／リバースオークション連携システム。
【発明の詳細な説明】
【技術分野】
【０００１】
本発明は、インターネット等を利用した通常オークション／リバースオークション連携システムに関する。
【背景技術】
【０００２】
昨今ではインターネットを利用したオークションシステム（例えば、特許文献１、２参照。）が複数の事業者により提供され、その利用は増大している。通常のオークションシステムでは、出品者が商品を出品し、その商品に対して複数の入札者が所望の金額を入札することで競り上げて行き、所定期間内に最高額を入札した入札者が商品を落札する。
【０００３】
一方、上記の通常のオークションシステムとは異なり、買い手側（リクエスト者）が欲する商品についてのリクエストを掲載し、これを閲覧した売り手側（応募者）が商品提供のオファー（応募）を出し、双方の条件が合致することで取引が成立する買い手主導型のリバースオークション（リクエストオークション）システムも存在する。
【特許文献１】特開２００５−１４９１３９号公報
【特許文献２】特開２００２−１５１７２号公報
【発明の開示】
【発明が解決しようとする課題】
【０００４】
上述したように、従来より、通常のオークションシステムとリバースオークションシステムとが存在し、同じ事業者により運営される場合もあったが、それぞれ独立したシステムとなっており、システム間の連携は全く考慮されていなかった。
【０００５】
ところで、通常のオークションシステムで出品した商品が落札されなかった場合、類似の商品に対するリクエストが存在しないかリバースオークションシステムを閲覧し、見つかった場合には応募することが多い。しかしながら、その際、通常のオークションシステムへの出品時に入力した内容（商品説明のテキスト、商品の画像等）を再びリバースオークションシステムでの応募の内容として入力しなければならず、入力操作が煩雑であるという問題があった。同様の問題はリバースオークションシステムでリクエストに対して応募したが成約されなかった場合にも起こり得る。
【０００６】
また、通常のオークションシステムで出品した商品が落札されなかった場合に必ずしもリバースオークションシステムに移行するとは限らず、その場合はオークションシステムとしての有効利用が充分になされないという問題があった。同様の問題はリバースオークションシステムでリクエストに対して成約がなされなかった場合にも起こり得る。
【０００７】
本発明は上記の従来の問題点に鑑み提案されたものであり、その目的とするところは、通常のオークションシステムとリバースオークションシステムとの間で密な連携をとることで、重複した入力操作を削減できるとともに双方システムの利用の活性化を図ることのできる通常オークション／リバースオークション連携システムを提供することにある。
【課題を解決するための手段】
【０００８】
上記の課題を解決するため、本発明にあっては、請求項１に記載されるように、売り手側が販売希望の商品についての出品を掲載し、これを閲覧した買い手側が入札を行い、双方の条件が合致することで取引が成立する売り手主導型の通常オークションシステムと、買い手側が欲する商品についてのリクエストを掲載し、これを閲覧した売り手側が商品提供の応募を出し、双方の条件が合致することで取引が成立する買い手主導型のリバースオークションシステムとを備えたシステムであって、上記通常オークションシステムへの出品が成約しなかった場合に、上記通常オークションシステムから上記リバースオークションシステムに成約しなかった出品にかかる出品情報を伴う類似のリクエストの情報を要求するデータをネットワークを介して送信する手段と、上記リバースオークションシステム側で、成約しなかった出品にかかる出品情報に基づいてリクエスト情報から類似検索を行って類似のリクエストの情報のデータを取得し、上記通常オークションシステムにネットワークを介して送信する手段と、上記通常オークションシステム側で、当該通常オークションシステムの売り手側が使用するクライアント端末に上記リバースオークションシステムから取得した類似のリクエストの情報のデータをネットワークを介して送信する手段と、上記通常オークションシステム側で、上記クライアント端末から上記通常オークションシステムに対する出品の掲載時に入力したテキスト情報および画像情報を含む出品情報の出力の指示要求のデータをネットワークを介して受信する手段と、上記通常オークションシステムから当該通常オークションシステムが内部の記憶領域に保持する上記出品情報のデータを上記クライアント端末にネットワークを介して送信する手段と、上記リバースオークションシステム側で、上記クライアント端末から修正の行われた上記出品情報に基づくリクエストの掲載要求のデータをネットワークを介して受信する手段とを備える通常オークション／リバースオークション連携システムを要旨としている。
また、請求項２に記載されるように、売り手側が販売希望の商品についての出品を掲載し、これを閲覧した買い手側が入札を行い、双方の条件が合致することで取引が成立する売り手主導型の通常オークションシステムと、買い手側が欲する商品についてのリクエストを掲載し、これを閲覧した売り手側が商品提供の応募を出し、双方の条件が合致することで取引が成立する買い手主導型のリバースオークションシステムとを備えたシステムであって、上記リバースオークションシステムへのリクエストが成約しなかった場合に、上記リバースオークションシステムから上記通常オークションシステムに成約しなかったリクエストにかかるリクエスト情報を伴う類似の出品の情報を要求するデータをネットワークを介して送信する手段と、上記通常オークションシステム側で、成約しなかったリクエストにかかるリクエスト情報に基づいて出品情報から類似検索を行って類似の出品の情報のデータを取得し、上記リバースオークションシステムにネットワークを介して送信する手段と、上記リバースオークションシステム側で、当該リバースオークションシステムの買い手側が使用するクライアント端末に上記通常オークションシステムから取得した類似の出品の情報をネットワークを介して送信する手段と、上記リバースオークションシステム側で、上記クライアント端末から上記リバースオークションシステムに対するリクエストの掲載時に入力したテキスト情報および画像情報を含むリクエスト情報の出力の指示要求のデータをネットワークを介して受信する手段と、上記リバースオークションシステムから当該リバースオークションシステムが内部の記憶領域に保持する上記リクエスト情報のデータを上記クライアント端末にネットワークを介して送信する手段と、上記通常オークションシステム側で、上記クライアント端末から修正の行われた上記リクエスト情報に基づく出品の掲載要求のデータをネットワークを介して受信する手段とを備える通常オークション／リバースオークション連携システムとして構成することができる。
【０００９】
また、請求項３に記載されるように、請求項１または２のいずれか一項に記載の通常オークション／リバースオークション連携システムであって、上記類似のリクエストもしくは出品の情報は、リクエストもしくは出品の件数および平均価格等の統計情報を含むようにすることができる。
【発明の効果】
【００１３】
本発明の通常オークション／リバースオークション連携システムにあっては、通常のオークションシステムとリバースオークションシステムとの間で密な連携をとることで、重複した入力操作を削減できるとともに双方システムの利用の活性化を図ることができる。
【発明を実施するための最良の形態】
【００１４】
以下、本発明の好適な実施形態につき図面を参照して説明する。
【００１５】
図１は本発明の一実施形態にかかる通常オークション／リバースオークション連携システムの構成図である。図１において、通常オークション／リバースオークション連携システム１は、相互に連携動作する機能を有した通常オークションシステム１１とリバースオークションシステム１２とを備え、ユーザの操作するＰＣ（Personal Computer）等のクライアント３（３Ａ、３Ｂ、・・）からインターネット等のネットワーク２を介してアクセスできるようになっている。
【００１６】
図２は通常オークションシステムおよびリバースオークションシステムの構成図である。図２おいて、通常オークションシステム１１およびリバースオークションシステム１２はそれぞれ、オークション情報（通常オークションにあっては、出品内容、入札内容、質問内容、質問回答、成約条件等。リバースオークションにあっては、リクエスト内容、応募内容、質問内容、質問回答、成約条件等。）を保持するオークション情報ＤＢ（Data Base）１０１と、会員のユーザ情報を保持するユーザ情報ＤＢ１０２と、出品／リクエストの対象となる商品のカテゴリを体系化して保持する分類ＤＢ１０３と、出品／リクエストにかかる商品等の画像を保持する画像ＤＢ１０４と、リクエストに対する双方当事者（出品者／リクエスト者、入札者／応募者）の評価を保持する評価ＤＢ１０５とを備えている。
【００１７】
また、通常オークションシステム１１およびリバースオークションシステム１２はそれぞれ、機能部として、ユーザの操作するクライアント３（３Ａ、３Ｂ、・・）からのネットワーク２を介したアクセスに対し、オークション情報ＤＢ１０１の保持内容を掲示板として提示するページサーバ１０６と、このページサーバ１０６の提示するページを介して出品／リクエスト、入札／応募、質問、回答、成約を受け付け、オークション情報ＤＢ１０１の保持内容を編集する編集サーバ１０７とを備えている。
【００１８】
また、通常オークションシステム１１およびリバースオークションシステム１２はそれぞれ、編集サーバ１０７による出品／リクエストの入力時に商品のカテゴリを選択させるリストを分類ＤＢ１０３から取得して提示するリストサーバ１０８と、各種の検索を実行する検索サーバ１０９と、画像ＤＢ１０４に出品／応募に付随する画像を格納して管理する画像サーバ１１０と、出品／リクエストに対する双方当事者の評価を受け付けて評価ＤＢ１０５に格納して管理する評価サーバ１１１とを備えている。更に、通常オークションシステム１１およびリバースオークションシステム１２はそれぞれ、編集サーバ１０７が入札／応募、質問、回答、成約を受け付け、あるいは評価サーバ１１１が評価を受け付けた場合に、相手方に入札／応募、質問、回答、成約があった旨をメールで通知するメールサーバ１１２を備えている。
【００１９】
なお、通常オークションシステム１１およびリバースオークションシステム１２において共通に利用できるデータベースおよび機能部については、個別に設けず、共通に利用するようにしてもよい。
【００２０】
＜処理例１＞
図３は通常オークション不成立の場合の出品者に対する処理例を示す図である。図３において、通常オークションシステム１１で不成立となった場合（終了日時までに条件を満たす入札がなかった場合にシステム側で判断する場合、出品者が条件を満たす入札がなかったとして終了を選択する場合等を含む）、通常オークションシステム１１はリバースオークションシステム１２に対し出品情報から類似リクエスト情報の検索要求を行う（ステップＳ１）。
【００２１】
これを受け、リバースオークションシステム１２は検索サーバ１０９により類似リクエスト情報の検索を行い、類似リクエストの件数および統計情報（リクエスト／応募／成約の平均価格、最小価格、最大価格、成約率等）を通常オークションシステム１１に応答する（ステップＳ２）。
【００２２】
そして、通常オークションシステム１１は出品者（売り手側）のクライアント３Ａに通常オークションの終了通知とともに類似リクエストの件数および統計情報を提供する（ステップＳ３）。
【００２３】
類似リクエストの件数および統計情報を見てリバースオークションへの移行に興味を持った出品者は、クライアント３Ａからリバースオークションシステム１２に対して類似リクエストの詳細情報の出力を指示し（ステップＳ４）、これを受けたリバースオークションシステム１２は類似リクエストの詳細情報をクライアント３Ａに出力する（ステップＳ５）。なお、類似リクエスト情報の出力指示は通常オークションシステム１１から提供されるページの所定箇所をクリックすることで、そこに埋め込まれたＵＲＬ等から簡易に行うことができる。また、類似リクエスト情報の出力指示は、最初は類似リクエストの一覧表を出力させ、その中から興味を持ったリクエストにつき詳細情報を出力させるというように、二段階に分けて行うこともできる。
【００２４】
次いで、類似リクエストの詳細情報を見てリバースオークションへの応募を決意した出品者は、クライアント３Ａから通常オークションシステム１１に対して出品情報（出品時に入力したテキスト情報、画像情報等）の出力を指示し（ステップＳ６）、これを受けた通常オークションシステム１１は出品情報をクライアント３Ａに出力する（ステップＳ７）。
【００２５】
そして、出品者は取得した出品情報に必要に応じて修正（出品は出品商品に対する一方的な宣伝内容となるが、応募はリクエストに応じたアピール内容となる）を施した後、クライアント３Ａからリバースオークションシステム１２に対して応募を行う（ステップＳ８）。
【００２６】
このように、通常オークションが不成立となった場合に、出品者をリバースオークションに積極的に誘導することができるとともに、出品時の出品情報を再利用して応募が行えるため入力操作が容易になる。
【００２７】
＜処理例２＞
図４は通常オークション不成立の場合の入札者に対する処理例を示す図である。図４において、通常オークションシステム１１で不成立となった場合、通常オークションシステム１１はリバースオークションシステム１２に対し出品情報から類似リクエスト情報の検索要求を行う（ステップＳ１１）。
【００２８】
これを受け、リバースオークションシステム１２は検索サーバ１０９により類似リクエスト情報の検索を行い、類似リクエストの件数および統計情報を通常オークションシステム１１に応答する（ステップＳ１２）。
【００２９】
そして、通常オークションシステム１１は入札者（買い手側）のクライアント３Ｂに通常オークションの終了通知とともに類似リクエストの件数および統計情報を提供する（ステップＳ１３）。
【００３０】
類似リクエストの件数および統計情報を見てリバースオークションへの移行に興味を持った入札者は、クライアント３Ｂからリバースオークションシステム１２に対して類似リクエストの詳細情報の出力を指示し（ステップＳ１４）、これを受けたリバースオークションシステム１２は類似リクエストの詳細情報をクライアント３Ｂに出力する（ステップＳ１５）。なお、類似リクエスト情報の出力指示は通常オークションシステム１１から提供されるページの所定箇所をクリックすることで、そこに埋め込まれたＵＲＬ等から簡易に行うことができる。また、類似リクエスト情報の出力指示は、最初は類似リクエストの一覧表を出力させ、その中から興味を持ったリクエストにつき詳細情報を出力させるというように、二段階に分けて行うこともできる。
【００３１】
次いで、類似リクエストの詳細情報を見てリバースオークションへのリクエストを決意した入札者は、クライアント３Ｂからリバースオークションシステム１２に対してリクエストを行う（ステップＳ１６）。
【００３２】
このように、通常オークションが不成立となった場合に、入札者をリバースオークションに積極的に誘導することができる。
【００３３】
＜処理例３＞
図５はリバースオークション不成立の場合のリクエスト者に対する処理例を示す図である。図５において、リバースオークションシステム１２で自己のリクエストに対して条件を満たす応募がなかった場合、リクエスト者（買い手側）はクライアント３Ｃからリバースオークションシステム１２に対して該当なしを通知する（ステップＳ２１）（終了日時までに条件を満たす応募がなかったとシステム側で判断された場合はこのステップは省略してもよい。）。
【００３４】
次いで、リバースオークションシステム１２は通常オークションシステム１１に対しリクエスト情報から類似出品情報の検索要求を行う（ステップＳ２２）。
【００３５】
これを受け、通常オークションシステム１１は検索サーバ１０９により類似出品情報の検索を行い、類似出品の件数および統計情報（出品／入札／成約の平均価格、最小価格、最大価格、成約率等）をリバースオークションシステム１２に応答する（ステップＳ２３）。
【００３６】
そして、リバースオークションシステム１２はクライアント３Ｃに類似出品の件数および統計情報を提供する（ステップＳ２４）。
【００３７】
類似出品の件数および統計情報を見て通常オークションへの移行に興味を持ったリクエスト者は、クライアント３Ｃから通常オークションシステム１１に対して類似出品の詳細情報の出力を指示し（ステップＳ２５）、これを受けた通常オークションシステム１１は類似出品の詳細情報をクライアント３Ｃに出力する（ステップＳ２６）。なお、類似出品情報の出力指示はリバースオークションシステム１２から提供されるページの所定箇所をクリックすることで、そこに埋め込まれたＵＲＬ等から簡易に行うことができる。また、類似出品情報の出力指示は、最初は類似出品の一覧表を出力させ、その中から興味を持った出品につき詳細情報を出力させるというように、二段階に分けて行うこともできる。
【００３８】
次いで、類似出品の詳細情報を見て通常オークションへの入札を決意したリクエスト者は、クライアント３Ｃから通常オークションシステム１１に対して入札を行う（ステップＳ２７）。
【００３９】
このように、リバースオークションが不成立となった場合に、リクエスト者を通常オークションに積極的に誘導することができる。
【００４０】
＜処理例４＞
図６はリバースオークション不成立の場合の応募者に対する処理例を示す図である。図６において、リバースオークションシステム１２で不成立となった場合（終了日時までに条件を満たす応募がなかった場合にシステム側で判断する場合、リクエスト者が条件を満たす応募がなかったとして終了を選択する場合等を含む）、リバースオークションシステム１２は通常オークションシステム１１に対しリクエスト情報から類似出品情報の検索要求を行う（ステップＳ３１）。
【００４１】
これを受け、通常オークションシステム１１は検索サーバ１０９により類似出品情報の検索を行い、類似出品の件数および統計情報をリバースオークションシステム１２に応答する（ステップＳ３２）。
【００４２】
そして、リバースオークションシステム１２は応募者（売り手側）のクライアント３Ｄに類似出品の件数および統計情報を提供する（ステップＳ３３）。
【００４３】
類似出品の件数および統計情報を見て通常オークションへの移行に興味を持った応募者は、クライアント３Ｄから通常オークションシステム１１に対して類似出品の詳細情報の出力を指示し（ステップＳ３４）、これを受けた通常オークションシステム１１は類似出品の詳細情報をクライアント３Ｄに出力する（ステップＳ３５）。なお、類似出品情報の出力指示はリバースオークションシステム１２から提供されるページの所定箇所をクリックすることで、そこに埋め込まれたＵＲＬ等から簡易に行うことができる。また、類似出品情報の出力指示は、最初は類似出品の一覧表を出力させ、その中から興味を持った出品につき詳細情報を出力させるというように、二段階に分けて行うこともできる。
【００４４】
次いで、類似出品の詳細情報を見て通常オークションへの出品を決意した応募者は、クライアント３Ｄからリバースオークションシステム１２に対して応募情報（応募時に入力したテキスト情報、画像情報等）の出力を指示し（ステップＳ３６）、これを受けたリバースオークションシステム１２は応募情報をクライアント３Ｄに出力する（ステップＳ３７）。
【００４５】
そして、応募者は取得した応募情報に必要に応じて修正（応募はリクエストに応じたアピール内容となるが、出品は出品商品に対する一方的な宣伝内容となる）を施した後、クライアント３Ｄから通常オークションシステム１１に対して出品を行う（ステップＳ３８）。
【００４６】
このように、リバースオークションが不成立となった場合に、応募者を通常オークションに積極的に誘導することができるとともに、応募時の応募情報を再利用して出品が行えるため入力操作が容易になる。
【００４７】
＜処理例５＞
図７は通常オークション出品前の出品者に対する処理例を示す図である。図７において、通常オークションシステム１１に出品しようとする出品者がクライアント３Ａから出品フォームの入力を行うと（ステップＳ４１）、通常オークションシステム１１はリバースオークションシステム１２に対し出品フォームに入力された出品情報から類似リクエスト情報の検索要求を行う（ステップＳ４２）。
【００４８】
これを受け、リバースオークションシステム１２は検索サーバ１０９により類似リクエスト情報の検索を行い、類似リクエストの件数および統計情報を通常オークションシステム１１に応答する（ステップＳ４３）。
【００４９】
そして、通常オークションシステム１１はクライアント３Ａに類似リクエストの件数および統計情報を提供する（ステップＳ４４）。
【００５０】
類似リクエストの件数および統計情報を見てリバースオークションへの移行に興味を持った出品者は、クライアント３Ａからリバースオークションシステム１２に対して類似リクエストの詳細情報の出力を指示し（ステップＳ４５）、これを受けたリバースオークションシステム１２は類似リクエストの詳細情報をクライアント３Ａに出力する（ステップＳ４６）。なお、類似リクエスト情報の出力指示は通常オークションシステム１１から提供されるページの所定箇所をクリックすることで、そこに埋め込まれたＵＲＬ等から簡易に行うことができる。また、類似リクエスト情報の出力指示は、最初は類似リクエストの一覧表を出力させ、その中から興味を持ったリクエストにつき詳細情報を出力させるというように、二段階に分けて行うこともできる。
【００５１】
次いで、類似リクエストの詳細情報を見てリバースオークションへの応募を決意した出品者は、クライアント３Ａからリバースオークションシステム１２に対して応募を行う（ステップＳ４７）。
【００５２】
このように、通常オークションに出品しようとした場合に、リバースオークションの類似リクエスト件数および統計情報を提供することで、出品者に対し、より多様な選択肢を与えることができる。
【００５３】
＜処理例６＞
図８はリバースオークションリクエスト前のリクエスト者に対する処理例を示す図である。図８において、リバースオークションシステム１２にリクエストしようとするリクエスト者がクライアント３Ｃからリクエストフォームの入力を行うと（ステップＳ５１）、リバースオークションシステム１２は通常オークションシステム１１に対しリクエストフォームに入力されたリクエスト情報から類似出品情報の検索要求を行う（ステップＳ５２）。
【００５４】
これを受け、通常オークションシステム１１は検索サーバ１０９により類似出品情報の検索を行い、類似出品の件数および統計情報をリバースオークションシステム１２に応答する（ステップＳ５３）。
【００５５】
そして、リバースオークションシステム１２はクライアント３Ｃに類似出品の件数および統計情報を提供する（ステップＳ５４）。
【００５６】
類似出品の件数および統計情報を見て通常オークションへの移行に興味を持ったリクエスト者は、クライアント３Ｃから通常オークションシステム１１に対して類似出品の詳細情報の出力を指示し（ステップＳ５５）、これを受けた通常オークションシステム１１は類似出品の詳細情報をクライアント３Ｃに出力する（ステップＳ５６）。なお、類似出品情報の出力指示はリバースオークションシステム１２から提供されるページの所定箇所をクリックすることで、そこに埋め込まれたＵＲＬ等から簡易に行うことができる。また、類似出品情報の出力指示は、最初は類似出品の一覧表を出力させ、その中から興味を持った出品につき詳細情報を出力させるというように、二段階に分けて行うこともできる。
【００５７】
次いで、類似出品の詳細情報を見て通常オークションへの入札を決意したリクエスト者は、クライアント３Ｃから通常オークションシステム１１に対して入札を行う（ステップＳ５７）。
【００５８】
このように、リバースオークションにリクエストしようとした場合に、通常オークションの類似出品件数および統計情報を提供することで、リクエスト者に対し、より多様な選択肢を提供することができる。
【００５９】
＜処理例７＞
図９は通常オークション出品中の出品者に対する処理例を示す図である。図９において、通常オークションシステム１１の出品者がクライアント３Ａから通常オークションシステム１１に対しリバースオークションシステム１２における類似リクエスト情報の検索要求を行うと（ステップＳ６１）、通常オークションシステム１１はリバースオークションシステム１２に対し出品情報から類似リクエスト情報の検索要求を行う（ステップＳ６２）。
【００６０】
これを受け、リバースオークションシステム１２は検索サーバ１０９により類似リクエスト情報の検索を行い、類似リクエストの件数および統計情報を通常オークションシステム１１に応答する（ステップＳ６３）。
【００６１】
そして、通常オークションシステム１１はクライアント３Ａに類似リクエストの件数および統計情報を提供する（ステップＳ６４）。
【００６２】
類似リクエストの件数および統計情報を見てリバースオークションのリクエストに興味を持った出品者は、クライアント３Ａからリバースオークションシステム１２に対して類似リクエストの詳細情報の出力を指示し（ステップＳ６５）、これを受けたリバースオークションシステム１２は類似リクエストの詳細情報をクライアント３Ａに出力する（ステップＳ６６）。なお、類似リクエスト情報の出力指示は通常オークションシステム１１から提供されるページの所定箇所をクリックすることで、そこに埋め込まれたＵＲＬ等から簡易に行うことができる。また、類似リクエスト情報の出力指示は、最初は類似リクエストの一覧表を出力させ、その中から興味を持ったリクエストにつき詳細情報を出力させるというように、二段階に分けて行うこともできる。
【００６３】
次いで、類似リクエストの詳細情報を見てリバースオークションのリクエストとの成約が高いと感じた出品者は、クライアント３Ａからリバースオークションシステム１２に対して自己の出品ＩＤもしくはＵＲＬを質問として通知し（ステップＳ６７）、質問を受け付けたリバースオークションシステム１２はメールサーバ１１２によりリクエスト者のクライアント３Ｃに質問を通知する（ステップＳ６８）。
【００６４】
質問通知を受けたリクエスト者は、クライアント３Ｃから通常オークションシステム１１に対して出品の詳細情報の出力を指示し（ステップＳ６９）、これを受けた通常オークションシステム１１は当該出品の詳細情報をクライアント３Ｃに出力する（ステップＳ７０）。
【００６５】
そして、出品の詳細情報を見て通常オークションへの入札を決意したリクエスト者は、クライアント３Ｃから通常オークションシステム１１に対して入札を行う（ステップＳ７１）。
【００６６】
このように、通常オークションの出品中に、リバースオークションで類似の商品をリクエストしているリクエスト者を通常オークションに積極的に誘導することができる。
【００６７】
＜処理例８＞
図１０は通常オークション出品中の入札者に対する処理例を示す図である。図１０において、通常オークションシステム１１の出品に対して入札しようとする入札者がクライアント３Ｂから入札フォームを入力し、あるいは類似リクエスト情報の検索を要求すると（ステップＳ８１）、通常オークションシステム１１はリバースオークションシステム１２に対し入札にかかる出品情報から類似リクエスト情報の検索要求を行う（ステップＳ８２）。
【００６８】
これを受け、リバースオークションシステム１２は検索サーバ１０９により類似リクエスト情報の検索を行い、類似リクエストの件数および統計情報を通常オークションシステム１１に応答する（ステップＳ８３）。
【００６９】
そして、通常オークションシステム１１はクライアント３Ｂに類似リクエストの件数および統計情報を提供する（ステップＳ８４）。
【００７０】
類似リクエストの件数および統計情報を見てリバースオークションへの移行に興味を持った入札者は、クライアント３Ｂからリバースオークションシステム１２に対して類似リクエストの詳細情報の出力を指示し（ステップＳ８５）、これを受けたリバースオークションシステム１２は類似リクエストの詳細情報をクライアント３Ｂに出力する（ステップＳ８６）。なお、類似リクエスト情報の出力指示は通常オークションシステム１１から提供されるページの所定箇所をクリックすることで、そこに埋め込まれたＵＲＬ等から簡易に行うことができる。また、類似リクエスト情報の出力指示は、最初は類似リクエストの一覧表を出力させ、その中から興味を持ったリクエストにつき詳細情報を出力させるというように、二段階に分けて行うこともできる。
【００７１】
次いで、類似リクエストの詳細情報を見てリバースオークションへのリクエストを決意した入札者は、クライアント３Ｂからリバースオークションシステム１２に対してリクエストを行う（ステップＳ８７）。
【００７２】
このように、リバースオークションの類似リクエスト件数および統計情報を提供することで、通常オークションに入札しようとした入札者に対し、より多様な選択肢を与えることができる。
【００７３】
＜処理例９＞
図１１はリバースオークションリクエスト掲載中のリクエスト者に対する処理例を示す図である。図１１において、リバースオークションシステム１２にリクエスト掲載中のリクエスト者がクライアント３Ｃからリバースオークションシステム１２に対して類似出品情報の検索要求を行うと（ステップＳ９１）、リバースオークションシステム１２は通常オークションシステム１１に対しリクエスト情報から類似出品情報の検索要求を行う（ステップＳ９２）。
【００７４】
これを受け、通常オークションシステム１１は検索サーバ１０９により類似出品情報の検索を行い、類似出品の件数および統計情報をリバースオークションシステム１２に応答する（ステップＳ９３）。
【００７５】
そして、リバースオークションシステム１２はクライアント３Ｃに類似出品の件数および統計情報を提供する（ステップＳ９４）。
【００７６】
類似出品の件数および統計情報を見て通常オークションへの移行に興味を持ったリクエスト者は、クライアント３Ｃから通常オークションシステム１１に対して類似出品の詳細情報の出力を指示し（ステップＳ９５）、これを受けた通常オークションシステム１１は類似出品の詳細情報をクライアント３Ｃに出力する（ステップＳ９６）。なお、類似出品情報の出力指示はリバースオークションシステム１２から提供されるページの所定箇所をクリックすることで、そこに埋め込まれたＵＲＬ等から簡易に行うことができる。また、類似出品情報の出力指示は、最初は類似出品の一覧表を出力させ、その中から興味を持った出品につき詳細情報を出力させるというように、二段階に分けて行うこともできる。
【００７７】
次いで、類似出品の詳細情報を見て通常オークションへの入札を決意したリクエスト者は、クライアント３Ｃから通常オークションシステム１１に対して入札を行う（ステップＳ９７）。
【００７８】
このように、通常オークションの類似出品件数および統計情報を提供することで、リバースオークションにリクエストしているリクエスト者に対し、より多様な選択肢を与えることができる。
【００７９】
＜処理例１０＞
図１２はリバースオークションリクエスト掲載中の応募者に対する処理例を示す図である。図１２において、リバースオークションシステム１２のリクエストに対して応募しようとする応募者がクライアント３Ｄから応募フォームを入力し、あるいは類似出品情報の検索を要求すると（ステップＳ１０１）、リバースオークションシステム１２は通常オークションシステム１１に対し応募にかかるリクエスト情報から類似出品情報の検索要求を行う（ステップＳ１０２）。
【００８０】
これを受け、通常オークションシステム１１は検索サーバ１０９により類似出品情報の検索を行い、類似出品の件数および統計情報をリバースオークションシステム１２に応答する（ステップＳ１０３）。
【００８１】
そして、リバースオークションシステム１２はクライアント３Ｄに類似出品の件数および統計情報を提供する（ステップＳ１０４）。
【００８２】
類似出品の件数および統計情報を見て通常オークションへの移行に興味を持った応募者は、クライアント３Ｄから通常オークションシステム１１に対して類似出品の詳細情報の出力を指示し（ステップＳ１０５）、これを受けた通常オークションシステム１１は類似出品の詳細情報をクライアント３Ｄに出力する（ステップＳ１０６）。なお、類似出品情報の出力指示はリバースオークションシステム１２から提供されるページの所定箇所をクリックすることで、そこに埋め込まれたＵＲＬ等から簡易に行うことができる。また、類似出品情報の出力指示は、最初は類似出品の一覧表を出力させ、その中から興味を持った出品につき詳細情報を出力させるというように、二段階に分けて行うこともできる。
【００８３】
次いで、類似出品の詳細情報を見て通常オークションへの出品を決意した応募者は、クライアント３Ｄからリバースオークションシステム１２に対して出品を行う（ステップＳ１０７）。
【００８４】
このように、通常オークションの類似出品件数および統計情報を提供することで、リバースオークションに応募しようとした応募者に対し、より多様な選択肢を与えることができる。
【００８５】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００８６】
【図１】本発明の一実施形態にかかる通常オークション／リバースオークション連携システムの構成図である。
【図２】通常オークションシステムおよびリバースオークションシステムの構成図である。
【図３】通常オークション不成立の場合の出品者に対する処理例を示す図である。
【図４】通常オークション不成立の場合の入札者に対する処理例を示す図である。
【図５】リバースオークション不成立の場合のリクエスト者に対する処理例を示す図である。
【図６】リバースオークション不成立の場合の応募者に対する処理例を示す図である。
【図７】通常オークション出品前の出品者に対する処理例を示す図である。
【図８】リバースオークションリクエスト前のリクエスト者に対する処理例を示す図である。
【図９】通常オークション出品中の出品者に対する処理例を示す図である。
【図１０】通常オークション出品中の入札者に対する処理例を示す図である。
【図１１】リバースオークションリクエスト掲載中のリクエスト者に対する処理例を示す図である。
【図１２】リバースオークションリクエスト掲載中の応募者に対する処理例を示す図である。
【符号の説明】
【００８７】
１                通常オークション／リバースオークション連携システム
１１              通常オークションシステム
１２              リバースオークションシステム
１０１            オークション情報ＤＢ
１０２            ユーザ情報ＤＢ
１０３            分類ＤＢ
１０４            画像ＤＢ
１０５            評価ＤＢ
１０６            ページサーバ
１０７            編集サーバ
１０８            リストサーバ
１０９            検索サーバ
１１０            画像サーバ
１１１            評価サーバ
１１２            メールサーバ
２                ネットワーク
３、３Ａ〜３Ｄ    クライアント
【図１】
0004707539.tif 000002
【図２】
0004707539.tif 000003
【図３】
0004707539.tif 000004
【図４】
0004707539.tif 000005
【図５】
0004707539.tif 000006
【図６】
0004707539.tif 000007
【図７】
0004707539.tif 000008
【図８】
0004707539.tif 000009
【図９】
0004707539.tif 000010
【図１０】
0004707539.tif 000011
【図１１】
0004707539.tif 000012
【図１２】
0004707539.tif 000013